(57)【特許請求の範囲】
【請求項１】
映像データベースと、台本テーブルと、楽曲テーブルと、制御手段を備えたカラオケ装置であって、
映像データベースは、映像区分識別子により特定される複数の区分映像を格納し、
台本テーブルは、台本データと、映像属性情報を対応付けして複数記憶し、
台本データは、複数の映像区分識別子の順列を含み、
映像属性情報は、複数の分類項目ごとの属性記述を含み、
楽曲テーブルは、楽曲ＩＤと、楽曲属性情報を対応付けして複数記憶し、
楽曲属性情報は、複数の分類項目ごとの属性記述を含み、
制御手段は、演奏する楽曲のＩＤが特定された際に第１〜第２処理を行い、当該楽曲を演奏する際に第３処理を行い、
第１処理は、特定された楽曲ＩＤに基づいて楽曲テーブルから該当の楽曲属性情報を抽出し、
第２処理は、第１処理で抽出した楽曲属性情報に基づいて台本テーブルを検索し、当該楽曲属性情報の所定分類項目の属性記述と、各映像属性情報の所定分類項目の属性記述とを比較し、属性記述が符合する映像属性情報に対応付けされている台本データを抽出し、
第３処理は、第２処理で抽出した台本データの映像区分識別子の順列に基づいて該当する区分映像を映像データベースから順次抽出して表示出力させる
カラオケ装置。
【発明の詳細な説明】
【０００１】
【発明の属する技術分野】
本発明はカラオケ装置に関し、とくに、カラオケ装置における背景映像選出システムに関する。
【０００２】
【発明の背景】
カラオケ装置において、カラオケ楽曲の伴奏音楽の演奏時にムード映像としてディスプレイ表示するため、長時間分の映像が映像データベースに格納されていることが一般的である。この映像データベースに格納されている長時間分の映像は、背景映像として演奏楽曲に合わせて適宜な区分が選択再生されることとなる。
【０００３】
その選択再生方法としては、長時間分の映像の区分毎に映像区分識別子を付与してこれを管理し、楽曲毎に再生すべき区分映像を当該映像区分識別子の順列でもって記述した背景映像の台本データを用いる手法が提案されている。この場合、演奏楽曲の台本データを参照したカラオケ装置は、それに即して該当ディスク媒体から台本通りの映像区分識別子を認識し、対応する区分映像をつなぎ合わせ再生してゆく。
【０００４】
【発明が解決しようとする課題】
しかしながら、続々と日々生み出される多数の新曲に対応して、楽曲のイメージやストーリー展開に沿った高品質な背景映像をタイムラグなく制作して組合せ、台本データを構成することは効率的にもコスト的にも負担が大きかった。このような状況下においては、例えば台本データ（や背景映像）の制作および登録が未だなされていない楽曲が散見されることとなり、このような楽曲については、予め登録済みの緊急映像をつなぎ合わせたり繰り返し再生することで代替映像を提供するしかなかった。しかしこの手法を実行した場合、演奏楽曲のそれとは異なるイメージやストーリー性を有する背景映像に対して、カラオケ利用者が違和感を抱きがちであるという問題が生じていた。つまり、カラオケ利用者に違和感を抱かせたくはないが、それを払拭する対策としてリリース直後の新曲を含む全楽曲に対してオリジナルの台本データを制作するコストや手間もかなりの負担となってしまう、という課題が相克する。
【０００５】
そこで本発明は、台本データおよび背景映像の制作コストや手間を抑制可能でありつつも、違和感の少ないストーリー性で背景映像を提供可能である背景映像選出システムを提供することを目的としている。
【０００６】
【課題を解決するための手段】
この発明に係るカラオケ装置は、つぎの事項（１）〜（11）により特定され、背景映像選出システムに特徴を有するものである。
（１）映像データベースと、台本テーブルと、楽曲テーブルと、制御手段を備えたカラオケ装置であること
（２）映像データベースは、映像区分識別子により特定される複数の区分映像を格納すること
（３）台本テーブルは、台本データと、映像属性情報を対応付けして複数記憶すること
（４）台本データは、複数の映像区分識別子の順列を含むこと
（５）映像属性情報は、複数の分類項目ごとの属性記述を含むこと
（６）楽曲テーブルは、楽曲ＩＤと、楽曲属性情報を対応付けして複数記憶すること
（７）楽曲属性情報は、複数の分類項目ごとの属性記述を含むこと
（８）制御手段は、演奏する楽曲のＩＤが特定された際に第１〜第２処理を行い、当該楽曲を演奏する際に第３処理を行うこと
（９）第１処理は、特定された楽曲ＩＤに基づいて楽曲テーブルから該当の楽曲属性情報を抽出すること
（10）第２処理は、第１処理で抽出した楽曲属性情報に基づいて台本テーブルを検索し、当該楽曲属性情報の所定分類項目の属性記述と、各映像属性情報の所定分類項目の属性記述とを比較し、属性記述が符合する映像属性情報に対応付けされている台本データを抽出すること
（11）第３処理は、第２処理で抽出した台本データの映像区分識別子の順列に基づいて該当する区分映像を映像データベースから順次抽出して表示出力させること
【００１０】
【発明の実施の形態】
＝＝＝カラオケ装置の基本構成＝＝＝
図１は実施形態におけるカラオケ装置１の構成を示している。中央制御部１１は、内部にＣＰＵ、ＲＡＭ、ＲＯＭを含むマイコンであり、データバス１００や制御バス１１０を介して周辺各構成部とデータ通信を行い、このカラオケ装置１を制御／統括している。ハードディスク装置１２には多数曲分のカラオケデータに加え、カラオケ楽曲のＩＤ（楽曲番号）によって検索可能に対応づけられている種々のデータも格納されている。カラオケデータはＭＩＤＩ形式によって記述された伴奏音楽生成データと、その伴奏音楽の演奏に同期して描出すべき歌詞文字やその文字の属性（表示位置、表示色、表示／消去タイミング）を記述した歌詞描出データとをセットにしたものである。
【００１１】
中央制御部１１は、リモコン送信器１７や操作パネル１８からリクエスト楽曲のＩＤ入力を操作制御部１９を介して受け取ると、その入力順とＩＤとを対応づけてＲＡＭに格納し、楽曲の演奏予約登録を行う。そして、予約順番に従って該当する楽曲のカラオケデータを取り出す。そして、ＭＩＤＩデータをシンセサイザ１３に転送する。シンセサイザ１３はそのＭＩＤＩデータに従って、内蔵音源を制御して、カラオケ伴奏音楽を生成する。カラオケ伴奏音楽はミキシングアンプ１４でマイクロホン１５からの歌唱音声信号と混合されてスピーカ１６に音声出力される。一方、歌詞描出データに基づいて、歌詞画像に相当するビットマップ画像をビデオＲＡＭ２０に展開する。さらに、映像データベース部３０を制御して、適宜な背景映像用の映像信号を出力させる。映像制御部２１は、この背景映像を歌詞画像の背景としてスーパーインポーズ処理し、ディスプレイ２２に映像出力する。
【００１２】
＝＝＝映像データベースの構成＝＝＝
図２は映像データベース部３０の構成図を示している。映像データベース制御部３１は、カラオケ装置本体１の中央制御部１１とバス（１００、１１０）を介してデータ通信を行い、映像データベース部３０の各構成部を制御する。ディスク格納部３２は、多数枚（例：本実施例では１００枚）のＤＶＤ（以下、ディスク）（Ｄｉ：ｉは１〜１００の番号）を装填／収容している。各ディスクＤｉには、カラオケ伴奏音楽の演奏時に背景映像としてディスプレイに表示するために用意された長時間分（例：再生時間にして１３３分）の映像が、ＭＰＥＧ２規格によって符号化圧縮し適当な短時間で区分された区分映像として映像区分識別子を絡めて記録されている。２系統のディスクドライブ３３、３４は、ディスクローディング機構３５によってディスク格納部３２から供給されたディスクＤｉを駆動し、そのディスクＤｉに記録されている区分映像を映像区分識別子をキーに読み出す。入力切替部３６は、ディスクドライブ３３、３４から出力された区分映像の入力切替を行って、適宜な系統のディスクドライブ（３３、３４）からの区分映像をＭＰＥＧ２デコード部３７へ向けて出力する。ＭＰＥＧ２デコード部３７は入力した区分映像をリアルタイムで伸長・復号して映像信号を再生する。
【００１３】
多数枚のディスクＤｉは、それぞれディスク番号ｉ（ｉは１〜１００の整数）が割り振られており、その番号に従ってディスク格納部３２の所定の位置に装填されている。もちろん、各ディスクＤｉにも自身の番号の識別データが記録されている。また、１枚のディスクＤｉにおける所望のデータ記録位置にある区分映像には、データセクタ毎に割り当てられたセクタアドレスによってアクセスすることができる。所望のセクタアドレスには、ディスクＤｉに収録されている映像を最初から再生したときの経過時間に対応したタイムコード（分／秒／フレーム）を指定することによって１秒以下の時間単位でアクセスできる。
【００１４】
さらに、各ディスクＤｉにはＣＤにおける「トラック・ナンバー・サーチ」に相当するＶＴＳがあり、所定のＶＴＳ番号を指定することによって特定のセクタアドレスにアクセスすることができる。映像データベース制御部３１は、中央制御部１１からディスク番号ｉと、セクタアドレスまたはＶＴＳ番号とを受け取ると、ディスクローディング機構３５を制御して、適宜な系統のディスクドライブ（３３、３４）に該当のディスクＤｉをセットさせるとともに、このディスクＤｉを駆動させて所望の区分映像を読み出してつなぎあわせ、背景映像を再生する。なお、上述したディスク番号ｉと、セクタアドレスまたはＶＴＳ番号とのセット情報は、区分映像を特定する情報である「映像区分識別子」となる。
【００１５】
＝＝＝台本データと映像データベースの動作＝＝＝
あるカラオケ楽曲の演奏時に表示される背景映像は、多数のディスクＤｉに分散して記録されている短時間の映像素材（区分映像）をつなぎ合わせて編集したものである。映像データベース部３０では、２系統のディスクドライブ３３、３４が交互に交代で再生処理と再生準備とを受け持つことで、この区分映像をスムーズにつなぎ合わせている。このように短時間の区分映像をつなぎあわせて編集する根拠となるのが、台本データである。
【００１６】
この台本データは１楽曲の演奏中で使用される区分映像を映像区分識別子の順列でもって指定したものであり、例えば前記したディスク番号とタイムコードとをセットにした映像区分識別子でもって記述がなされている。本実施例における台本データは、予めその映像イメージやストーリ性、適合しやすい音楽ジャンルやアーティスト属性などに応じて多種作成されるものであり、それぞれの台本データには台本ＩＤが割り振られる。
【００１７】
前記の各区分映像は、映像毎に起承転結のいずれかの意味づけが少なくともなされて記録されている。例えば「恋愛」をテーマとした楽曲向けに、男女の出会いのシーンといった恋物語の始まりを予感させるような「起」を想定した複数の素材映像群１、恋愛が発展してゆく様を描いたシーンといった「承」を想定した複数の素材映像群２、一転、恋愛が過渡期に入って恋模様が一変するシーンといった「転」を想定した複数の素材映像群３、様々な軌跡をたどりつつも最終的に幸せな結末を迎えるシーンといった「結」を想定した複数の素材映像群４がＣＤ−ＲＯＭなどを記録媒体とする映像データベースに集約されている。
【００１８】
上記素材映像群１と４は一定長（例：６０秒）で制作され、素材映像群２と３は９０秒程度で制作される。この素材映像群２および３の後半部分に関しては、再生途中で次の素材映像群３または４に切り替わったとしてもあまり違和感のないように、また所定の９０秒では再生時間が不足する長い楽曲の演奏時に対応するべく、リピート再生しても違和感のないように、風景や情景を描写したようなストーリー性の薄い映像内容で制作されている。
【００１９】
また、各台本データとも、楽曲演奏の先頭部分６０秒は「起」にあたる区分映像（第１映像とする）の再生区間、後尾部分６０秒は「結」にあたる区分映像（第４映像とする）の再生区間が割り当てられ、他方、先頭部分と後尾部分とを除いた中間部分の楽曲演奏時間を適宜分割して「承」および「転」にあたる区分映像（第２映像および第３映像）の再生区間が割り当てられる。台本データが楽曲に跨ってこのような共通の構成をとることにより、いずれの台本データを選択使用しても楽曲演奏時間の差を吸収してスムーズな背景映像の再生が可能となるのである。
【００２０】
中央制御部１１は、あるカラオケ楽曲の演奏処理を開始する際、カラオケデータとともに、本発明の手法にて選出された適宜な台本データをハードディスク装置１２より取り出し、映像データベース制御部３１に転送する。映像データベース制御部３１は、まず、ディスクローディング機構３５を制御して、例えば、ディスクドライブ３３へ楽曲先頭部つまり第１映像として使用する区分映像が収録されているディスクＤｊ（ｊは１〜１００の番号）を供給させる。さらに、楽曲中間部つまり第２映像に対応するディスクＤｋ（ｋはｊ以外の１〜１００の番号）をディスクドライブ３４に供給させる。
【００２１】
ディスクドライブ３３にディスクＤｊが供給され、所定のセクタアドレスから区分映像を読み出す準備ができたことを認知すると、その旨を中央制御部１１に通達する。中央制御部１１は、この通達を受けて、楽曲の演奏処理を開始し、映像データベース制御部３１に対して、区分映像の再生制御を開始させる。映像データベース制御部３１は、入力切替部３６の区分映像入力系統をディスクドライブ３３側に切り替え制御する。ＭＰＥＧ２デコード部３７は、入力したＭＰＥＧ２データをリアルタイムで伸長／復号して、その再生映像信号を映像制御部２１へ与える。
【００２２】
第１映像である区分映像の再生処理中に、ディスクドライブ３４は、第２映像である区分映像のデータ読み出し準備を完了させておく。第１映像の終了タイミングに同期させて、ディスクドライブ３４から第２映像たる区分映像の読み出しを開始させる。同時に、入力切替部３６をディスクドライブ３４側に入力切り替えさせる。また、ディスクローディング機構３５に、ディスクドライブ３３に装着されていたディスクＤｊを元の格納位置に戻させるとともに、第３映像である区分映像が記録されているディスクＤｌ（ｌはｋ以外の１〜１００の番号）をディスクドライブ３３に装着させる（もちろん、第３映像用の区分映像の所在がディスクＤｊにある場合は、ディスクＤｊは元の格納場所に戻さない）。
【００２３】
第３映像から第４映像への区分映像の切替は第１映像から第２映像への切替と同様である。このとき、演奏中の楽曲に続いてつぎに演奏すべき楽曲が予約登録されている場合は、その楽曲に合わせて選出した台本データを上記同様に取り出して第１映像として使用する区分映像の記録所在を取得する。そして、ディスクドライブ３４に装着されているディスクＤｋと、その楽曲の第１映像で使用される区分映像を記録したディスクＤｍ（ｍはｌ以外の１〜１００の番号）とを交換させる（もちろん、その楽曲の第１映像たる区分映像の所在がディスクＤｋ、Ｄｌにある場合など、交換しなくて済む場合もある）。
【００２４】
＝＝＝台本データの選出手順＝＝＝
図３は本実施例における（ａ）は索引情報テーブル、（ｂ）は映像趣向記述子テーブルをしめす説明図であり、図４は本実施例における台本データの選出手順例を示す処理フローである。各楽曲は楽曲ＩＤ３０１が割り振られており、この楽曲ＩＤ３０１毎に索引情報３０２が関連づけされレコード化されている。図３（ａ）の索引情報テーブル３００に示すように、索引情報として例えば、「出漁〜帰漁」や「酒場の恋始終」といったストーリ性情報３０３、「女性演歌歌手」や「Ｒ＆Ｂ女性歌手」といったアーティスト属性情報３０４、「日本海、漁師小屋」や「ソフトフォーカスの男女」といった映像イメージ情報３０５、「演歌」や「ロック」といった音楽ジャンル情報３０６などが想定できる。勿論、索引情報３０２の種類としてはこれだけに限定されず、任意に様々な内容で設定可能である。
【００２５】
また一方で、台本データ毎の台本ＩＤ３１１をキーに、台本内容を表す映像趣向記述子３１２が関連づけされたレコードが格納されるのが、映像趣向記述子テーブル３１０である。この映像趣向記述子テーブル３１０は例えばハードディスク装置１２に格納され、台本データベースに付帯している。映像趣向記述子３１２には、図３（ｂ）で示したように、例えば、「ハッピーエンドの恋愛」や「出漁〜帰漁」といったストーリ性情報３１３、「女性アイドル歌手」や「Ｒ＆Ｂ女性歌手」といったアーティスト属性情報３１４、「荒海、大漁旗」や「子供戯れる田園」といった映像イメージ情報３１５、「Ｊ−ＰＯＰ」や「ロック」といった音楽ジャンル情報３１６など、索引情報テーブル３００と同様のものが想定できる。前記同様、映像趣向記述子３１２の種類としてはこれだけに限定されず、任意に様々な内容で設定可能である。
【００２６】
前記索引情報テーブル３００および映像趣向記述子テーブル３１０を利用し、カラオケ装置１は楽曲毎に適合する台本データを選出し背景映像の再生を実行することになる。以下、その実際手順について述べることとする。例えば楽曲ＩＤ“５６３０−０１”なる楽曲Ａの演奏予約を受け付けたとする（ｓ４０１）。この時カラオケ装置１の中央制御部１１は、楽曲Ａの索引情報について前記索引情報テーブル３００を参照し（ｓ４０２）、その内容を認識する。勿論、この索引情報が特にテーブル化されておらず、単に楽曲データのヘッダー等に付帯しているとした場合には、楽曲データを認識すると共にこの索引情報の認識処理が完了する。
【００２７】
楽曲ＩＤが“５６３０−０１”なる楽曲Ａの索引情報３０２は、ストーリ性情報３０３が「人生の流れ」、アーティスト属性情報３０４が「Ｒ＆Ｂ男女」、映像イメージ情報３０５が「ゴスペル合唱」、音楽ジャンル情報３０６が「Ｒ＆Ｂ」と設定されている。カラオケ装置１は、これら索引情報３０２のうち、例えばアーティスト属性情報３０４と音楽ジャンル情報３０６とに基づき、台本データベースの映像趣向記述子テーブル３１０における照合処理を実行する（ｓ４０３）。すると、アーティスト属性情報３１４が“Ｒ＆Ｂ男女”もしくは“Ｒ＆Ｂ女性”で音楽ジャンル情報３１６が“Ｒ＆Ｂ”なる台本データ群３１７が抽出される（ｓ４０４）。
【００２８】
続いて、抽出された台本データ群３１７の、台本ＩＤ：１００５、１００６、１００７のうちで最も最新（本例では台本ＩＤが大きいほど最新とする）の“１００７”なる台本データを選択する（ｓ４０５）。背景映像の再生開始に時間的猶予が許されている場合であれば、当該台本データ“１００７”の先頭の映像区分識別子に対応するメディアがディスクドライブ３３、３４に装填済みであるか否かに関係なく、台本データ“１００７”をそのまま使用して背景映像の再生を行う。
【００２９】
一方、やはり背景映像の再生を迅速に開始してスムーズなカラオケ利用状況を確立したいとする場合、前記台本データ“１００７”の先頭の映像区分識別子に対応するメディアがディスクドライブ３３、３４に装填済みであるか判定する（ｓ４０６）。この映像区分識別子に対応する区分映像を収録したメディアがディスクドライブ３３または３４にセットされていることが確認された場合、中央制御部１１は、この映像区分識別子を先頭映像としている台本データ“１００７”に基づいてディスクドライブ３３または３４において該当メディアを再生して区分映像をつなぎ合わせ、背景映像を出力させる（ｓ４０７）。
【００３０】
先に選択した台本データ“１００７”の先頭映像が収録されたメディアが、いずれのディスクドライブ３３、３４ででも再生準備が整っていない場合、台本データ“１００７”の次に最新の台本データ（例：台本データ“１００６”）を前記台本データ群３１７中より順次選択し、上記した処理を繰り返すことで、楽曲Ａに適合する最新で迅速な背景映像再生が可能な台本データが選出されるのである。
【００３１】
＝＝＝その他＝＝＝
映像データベース部において、ＭＰＥＧ２デコード部を２系統備え、各デコード部からの２系統の再生映像信号を入力して、その１系統を切り替えて映像制御部へ入力させる構成としてもよい。また、適宜な信号経路に映像エフェクタ（映像信号処理部）などを挿入することで、区分映像がフェード・イン／フェード・アウトなどの特殊効果を付加しながら映像を切り替えることも可能である。
【００３２】
さらに、本実施例では、カラオケデータが記録されたディスク（カラオケデータのみのディスク、あるいは映像データと混在したディスク）Ｄｉも、ディスク格納部３２に収納されている。中央制御部１１は、ある楽曲の演奏予約を受け付けた時点で該当のカラオケデータをハードディスク装置１２内で検索し、該当のリクエスト楽曲のカラオケデータが無いときは、所定のディスクＤｉからそのカラオケデータを取りだして、ハードディスク装置１２にコピーしておく。実際の楽曲演奏時には、ハードディスク装置１２内から指定のカラオケデータを取り出す。
【００３３】
また、本実施例の映像データベースは、ＤＶＤやＣＤ−ＲＯＭを記録媒体としたディスクローディング機構と２系統のディスクドライブで構成したが、第１〜３の発明では、この部分を２系統のハードディスクで構成してもよい。その場合、例えば、ハードディスクのセクタアドレスを複数のディスクのセクタアドレスを扱う場合と同等になるように置換管理するデバイスドライバを介在させればよい。
【００３４】
【発明の効果】
全ての楽曲毎にオリジナルの台本データおよび背景映像を制作する必要性から解放され、それら台本データ等の制作コストや手間を大幅に低減することが可能となる。つまり、データ量の多くない台本データを多数制作して、楽曲毎の属性に応じて適宜選択してこれらを使い回せる。これはもちろん今までは新着の楽曲でオリジナルの台本データが登録されていないものに対してもスムーズな台本データ選択と背景映像の提供が可能となることを意味する。しかも、本発明の背景映像選出システムが選び出す台本データは楽曲にマッチしたストーリー性でカラオケ利用者に違和感を感じさせにくいものとなる。
【００３５】
そこで本発明は、台本データおよび背景映像の制作コストや手間を抑制可能でありつつも、違和感の少ないストーリー性で背景映像を提供できる背景映像選出システムを提供可能となる。
【図面の簡単な説明】
【図１】本発明の実施例におけるカラオケ装置の構成図である。
【図２】上記実施例における映像データベース部の構成図である。
【図３】本実施例における（ａ）は索引情報テーブル、（ｂ）は映像趣向記述子テーブルをしめす説明図である。
【図４】本実施例における台本データの選出手順例を示す処理フローである。
【符号の説明】
１  カラオケ装置
１１  中央制御部
１２  ハードディスク装置
３０  映像データベース部
３１  映像データベース制御部
Ｄｉ  ＤＶＤ
３３、３４  ディスクドライブ
３７  ＭＰＥＧ２デコード部
【図１】
0003961329.tif 000002
【図２】
0003961329.tif 000003
【図３】
0003961329.tif 000004
【図４】
0003961329.tif 000005